(57)【要約】【課題】  レーザ光源と光学エンジンとを光ファイバで接続した投写型表示装置において、光ファイバとその周辺の温度上昇に対する安全性を向上させる。【解決手段】  レーザ光源５と光学エンジン６を連結する光ファイバ群１の光学エンジン６側端に温度センサ４を備えて温度を検出し、レーザ光源５を制御する制御手段７１に知らせ、あらかじめ設定しておいた設定値以上の温度上昇を検出した場合にレーザ光源５の出力を小さくする、あるいは停止するようにした。【選択図】        図１
2010039316.tif 000002
【特許請求の範囲】
【請求項１】
レーザ光を出力するレーザ光源と、
前記レーザ光源から出力されるレーザ光を光ファイバを介して受け、映像を拡大して出力する光学エンジンと、
前記光ファイバの温度を検出する温度センサと、
前記温度センサの出力に応じて前記レーザ光源の出力を制御する制御手段とを備えた投写型表示装置。
【請求項２】
レーザ光源は複数の光源ユニットを有し、
光ファイバは前記複数の光源ユニットにそれぞれ接続される複数の単芯ファイバを束ねて成ることを特徴とする請求項１に記載の投写型表示装置。
【請求項３】
光ファイバは光学エンジンに備えられた導熱性ホルダーに支持されて光学エンジンに接続され、
温度センサは前記導熱性ホルダーに備えられたことを特徴とする請求項１または２のいずれか１項に記載の投写型表示装置。
【請求項４】
複数の単芯ファイバを束ねる導熱性結束部材を備え、
前記導熱性結束部材の外面が導熱性ホルダーの内面に接触していることを特徴とする請求項３に記載の投写型表示装置。
【発明の詳細な説明】
【技術分野】
【０００１】
本発明は、レーザ光源と光ファイバを搭載した投写型表示装置において、光ファイバの安全機能に関するものである。
【背景技術】
【０００２】
従来の投写型表示装置では、水銀ランプや発光ダイオード（ＬＥＤ：light emitting diode）などのインコヒーレント（非干渉性）で比較的低輝度の光源が用いられてきた（水銀ランプを光源とする薄型光学系の例としては特許文献１参照）。一方、レーザ光は指向性に優れ、高輝度であるため、投写型表示装置の光源として有望である。レーザ光源を搭載することにより、光学系をコンパクトにして、投写型表示装置の薄型化に適したコンパクトな光学エンジンを得ることができる（レーザを光源とする投写型表示装置の例としては特許文献２参照）。
【０００３】
【特許文献１】特開２００６−９１８６７号公報（第６項、第２図）
【特許文献２】特開２０００−１３１６６５号公報（第４項、第１図）
【発明の開示】
【発明が解決しようとする課題】
【０００４】
投写型表示装置の光源として集光性に優れるレーザ光源を用いると、光学エンジンをコンパクトにできる。しかしレーザ光源と光学エンジンは直線上に配置する必要があるため、投写型表示装置内で部品の設置位置の自由度が低く、このことが投写型表示装置全体の薄型化を妨げていた。これを解決するためにレーザ光源と光学エンジンを光ファイバで連結すれば、光ファイバは曲げても光を伝達できるため、光ファイバで連結しているレーザ光源と光学エンジンを直線上に配置する必要がなくなり、部品の配置位置の自由度が向上する。その結果、投写型表示装置全体の薄型化を実現することができる。
【０００５】
しかしながらレーザ光を光ファイバに通光する場合には、局所的な発熱等で光ファイバが損傷する可能性があるため、温度上昇に対する安全性の確保が必要になる。
【０００６】
本発明は上記の課題を解決するためになされたもので、光ファイバとその周辺の温度上昇に対する安全性を向上させることを目的とする。
【課題を解決するための手段】
【０００７】
本発明に係る投写型表示装置においては、光ファイバの出射端に温度センサを備え、設定値以上の温度上昇を検出した場合にはレーザ光源の出力を制御するようにした。
【発明の効果】
【０００８】
本発明に係る投写型表示装置によれば、温度上昇に対する安全性を向上させることができる。
【発明を実施するための最良の形態】
【０００９】
実施の形態１
図１は実施の形態１に係る投写型表示装置の構成図である。この実施の形態に係る投写型表示装置は、レーザ光源５と、光学エンジン６と、それらを接続する光ファイバ群１と、レーザ光源５の出力を制御する制御手段７１と、光ファイバ群１の光学エンジン６側の端（出射端）に備えられたホルダー３と、ホルダー３の外面に接触して設置された温度センサ４とで構成される。光ファイバ群１は、出射端がホルダー３の内部に挿入されて、光学エンジン６に固定されている。レーザ光源５は複数の色光レーザに対応した光源ユニット５１、５２、および５３を備える。光ファイバ群１は、光源ユニット５１、５２および５３にそれぞれ接続される光ファイバ１１、１２および１３を途中で束ねて1本にしたもので、単一の出射端を有する。光学エンジン６内には、レンズ手段６１、反射ミラー６２などの光学素子と、表示デバイス７、拡大投写レンズ６３が配置されている。また、装置全体を覆うように筐体９が設けられ、その側面のうち１面には、大画面のスクリーン８が備えられている。
【００１０】
次に動作について説明する。レーザ光源５から出射されたレーザ光はレーザ伝達光路である光ファイバ群１を経由し、光学エンジン６内に入る。光学エンジン６内に入ったレーザ光は、レンズ手段６１を通過し、反射ミラー６２によって折り返された後、表示デバイス７に照射され、拡大投写レンズ６３を介してスクリーン８に拡大投影される。
【００１１】
ホルダー３の外面には温度センサ４が接触して設置されており、ホルダー３の温度を検出し、制御手段７１に温度を知らせる信号を出力している。制御手段７１は、温度センサ４が設定値以上の温度を検出した場合、レーザ光源５の出力を小さくする、あるいは停止する。ここで、温度センサ４は設定値以上の温度上昇を検出した場合にのみ信号を出力して制御手段７１に設定値以上の温度上昇があったことを知らせるようにしてもよい。また、温度を直接検出されるホルダー３は、金属などの導熱性の高い材質で構成するのが望ましい。
【００１２】
この実施の形態で用いる光ファイバの種類の候補としては、コア部もクラッド層もガラスで作られた光ファイバが考えられるが、この種の光ファイバはコア部とクラッド層の屈折率差を大きくすることが困難である。したがってここでは投写型表示装置の光学系のＦナンバーを小さくすることができるプラスチックファイバを用いるのが好適である。
【００１３】
さらにコストも考慮すると、レーザ光を通光するコア部には石英ガラス（５４６ｎｍで屈折率約１．４６）を用い、クラッド層には光学用ＵＶ硬化型樹脂等のプラスチックを用いたプラスチックファイバを用いるのが望ましい。光学用ＵＶ硬化型樹脂は、例えば５８９ｎｍで１．３８から１．４７の屈折率を示す。クラッド層の材料はこのような材料の中から光ファイバとして石英ガラスよりも十分に屈折率が低い樹脂材料を選択するとよい。
【００１４】
図２は光ファイバ１とその入出射端の具体的な構成を示す図である。出射端側は、図１では明示されていないホルダー３の内部の構造を示すために断面図となっている。２は複数の光ファイバ１１、１２および１３を束ねる結束部材、１５、１６および１７は光ファイバ１１、１２、１３のレーザ光源５側端（入射端）に取り付けられたコネクタ部品である。他の符号は図１と同一であり、説明を省略する。
【００１５】
ここで、レーザ光源５と光ファイバ１１、１２、１３の入射端側の構造について詳しく説明する。各光源ユニット５１、５２および５３は各色のレーザ光を発するエミッタと、エミッタから発せられた光を集めて収束するカップリング光学系を内包しており、光が収束した光スポット部に光ファイバの入射端面が位置するようになっており、効率よく光エネルギーが伝達するような構成となっている。カップリング光学系を介して光ファイバ１１、１２、１３に伝達されたレーザ光は光伝達作用により光学エンジン６に導かれる。
【００１６】
光ファイバ１１、１２、１３の入射端に取り付けられたコネクタ部品１５、１６、１７には、入射端から一定の寸法だけプラスチッククラッド部が除去された光ファイバ１１、１２、１３が挿入され、入射端から一定の距離離れたクラッド層が残っている部分においてこれを外側から機械的にクランプして金属コネクタが取り付けられる構造を有する。そのため、レーザ光が入射する端部にはガラスのコア部だけが存在することとなり、この入射端側においては、過熱による部品の損傷の可能性を著しく低減することができる。
【００１７】
一方、光ファイバ群１の出射端での温度上昇の対策として、入射端側と同様の方法で光学エンジン６に接続するのは困難である。出射端の断面積は光学エンジンの光学設計によって決定されるので、光伝達効率をよくするためには、できるだけ光ファイバを密着させて、その面積内に光ファイバを押し込まなければならない。そのため、プラスチッククラッド部を除去して、入射端側で用いたようなコネクタ部品を光ファイバひとつひとつに取り付けるスペースがない場合が多いからである。したがって、出射端側では光ファイバ群１の出射端側では温度上昇に対する対策が別に必要となる。そこで、ここに温度センサ４を取り付け、設定値以上の温度上昇を検知した場合にはレーザ光源の出力を小さくする、あるいは停止するようにした。
【００１８】
図３、４は図２の出射端をＡＢで切り取った断面の断面図であり、簡単のためホルダー３と温度センサ４を省略して示した図である。図３は直径の等しい光ファイバ１１、１２、１３を束ねる場合の図であり、図４は他の光ファイバ１１、１２、１３に加え、直径が異なる光ファイバ１４を追加した図である。直径の等しい複数のファイバを用いる場合には、図３(a)のように接着剤２１で結束部材２に固定することができるだけでなく、図３(b)に示すように密接して束ねた光ファイバ１１、１２、１３に外接するような形状を持つクランプ部品２２を用いることによって、接着剤を用いることなく複数の光ファイバを束ねてもよい。
【００１９】
一方直径の異なる複数のファイバを束ねる場合には、組み立て作業を簡素化ならびに短時間化し組立コストを圧縮するためには、図４に示すように、接着剤２１を用いる方法が望ましい。クランプ部品を用いて束ねる方法では、クランプ部品による結束作業が煩雑で、作業効率が劣る。
【００２０】
以上のように、作業性の観点から、光ファイバ群１を結束部材２に固定する手段としては接着剤が有望である。接着剤を用いるときは、光ファイバ１１、１２、１３に損傷が生じた場合に備えて、温度上昇に対する対策が重要になる。以下、このことについて説明する。
【００２１】
コア部とクラッド層の界面における全反射作用でコア内部に閉じ込められるはずの光も、光ファイバに何らかの原因で損傷が生じた場合には両者の界面を通過してクラッド層に進入する可能性がある。このときクラッド層の外側に付着している接着剤２１が光クラッド層を形成する材料よりも大きな屈折率を有する場合には、レーザ光が漏れ出し、周辺を加熱してさらに損傷を拡大させてしまう。したがって接着剤を用いる場合には、万一に備えて安全性の確保が重要となる。接着剤としてはシリコン系のものやエポキシ系のものを用いることができるが、とくに接着力の高いエポキシ系の場合、結束の強度や作業性の点で有利であるものの、屈折率が１．５を超えるものが殆どであるため、上記光漏れによって接着剤の温度が上昇して焼損に至る可能性がある。
【００２２】
図５は図２の出射端をＡＢで切り取った断面の断面図であり、ホルダー３と温度センサ４を省略せず示した図である。３１、３２はホルダー３の内部に設けられた空間に挿入された結束部材２を図中の矢印の方向に押し当てるような力を加えるネジである。他の符号は図２と同一であるので説明を省略する。このような構成によれば、ネジ３１、３２による力で結束部材２の外壁とホルダー３の内壁を少なくともひとつの大きな面積の面で接触させることが可能となり、熱を効率的に伝達できる。光ファイバ１１、１２および１３とその周りの接着剤２１における温度上昇を短時間で検出することが可能となる。ここで、結束部材２、ホルダー３は、金属などの導熱性の高い材質で構成するのが望ましい。
【００２３】
なお、温度センサ４としては、サーミスタを用いることができる。また、レーザ光源５のレーザの出力を小さくする、あるいは停止する温度上昇の設定値は、要求される安全性のレベルや、光ファイバ１の材料などに応じて適当に設定する。また、レーザ光源５の光源ユニット５１、５２、５３としては、Ｗ級のレーザなど出力の大きなものを用いることができる。
【００２４】
以上のような投写型表示装置の構成によれば、光源として集光性に優れるレーザ光源を用いるため、光学エンジンをコンパクトにできる。さらにレーザ光源と光学エンジンを光ファイバで連結するため、レーザ光源と光学エンジンの配置位置の自由度が増し、投写型表示装置の薄型化を実現することができる。
【００２５】
また、光ファイバの出射端に温度センサを備え、設定値以上の温度上昇を検知した場合にはレーザ光源の出力を小さくする、あるいは停止できるようにしたため、温度上昇に対する安全性を向上させることができる。
【００２６】
また、複数の単芯ファイバを束ねて密着させることにより、光伝達効率を高めることができる。
【００２７】
また、光ファイバが光学エンジンに備えられた導熱性ホルダーに支持されて光学エンジンに接続される構成にしたことにより、温度センサの取り付けを容易にすることができる。
【００２８】
また、光ファイバの終端を角柱状の導熱性結束部材で覆い、角柱状の内空間を有する導熱性ホルダーにこれを挿入して大きな面積の面で互いに接触させることにより、光ファイバ出射端における温度上昇を速やかに検知でき、安全で、取り付け性に優れ、信頼性の高い投写型表示装置を提供することができる。
【００２９】
また、ガラスコアとプラスチッククラッドで構成される光ファイバを用いることによりコストを抑え、安価な投写型表示装置を提供することができる。
【００３０】
また、この投写型表示装置の構成は大量生産に適し、安価に構成できる。
【００３１】
本発明の利用例としては、高出力のレーザを光源とする民生のＴＶ、産業用途のリアプロジェクション装置などに利用できる。
【図面の簡単な説明】
【００３２】
【図１】この発明の実施例１を示す投写型表示装置の構成図である。
【図２】この発明の実施例１における光ファイバの入出射端の構成の詳細を示す図である。
【図３】この発明の実施例１において、同じ直径の複数の光ファイバを束ねる場合の出射端の断面図であり、ホルダーと温度センサを省略した図である。
【図４】この発明の実施例１において、異なる直径の光ファイバを束ねる場合で、出射端の断面図であり、ホルダーと温度センサを省略した図である。
【図５】この発明の実施例１において、異なる直径の光ファイバを束ねる場合で、出射端の断面図である。
【符号の説明】
【００３３】
１  光ファイバ群
２  結束部材
３  ホルダー
４  温度センサ
５  レーザ光源
６  光学エンジン
７  表示デバイス
８  スクリーン
９  筐体
１１  光ファイバ
１２  光ファイバ
１３  光ファイバ
２１  接着剤
２２  クランプ部品
３１  ネジ
３２  ネジ
５１  光源ユニット
５２  光源ユニット
５３  光源ユニット
６１  レンズ手段
６２  反射ミラー
６３  拡大投写レンズ
７１  制御手段
【図１】
2010039316.tif 000003
【図２】
2010039316.tif 000004
【図３】
2010039316.tif 000005
【図４】
2010039316.tif 000006
【図５】
2010039316.tif 000007